(57)【要約】【課題】記録媒体の残容量に適合した記録処理を行う記録装置および方法を提供する。【解決手段】入力された情報ストリームのサイズＢｓを検出する手段（１０２）と、映像および音声パケットを抽出した抽出ストリームのサイズＢｐを検出する手段（１０６）と、媒体の残容量Ｃを検出する手段（１１３）を備え、残容量ＣがサイズＢｓよりも大きい場合は、情報ストリームをそのまま記録媒体に記録し、残容量ＣがサイズＢｓよりも小さく、サイズＢｐよりも大きい場合は、抽出ストリームを記録媒体に記録する。【選択図】図１
2009171277.tif 000002
【特許請求の範囲】
【請求項１】
情報ストリームを媒体に記録する記録装置であって、
該媒体の残容量Ｃを検出する残容量検出手段と、
情報ストリームの各パケットの属性を検出する属性検出手段と、
前記属性検出手段で検出された特定のパケットを抽出した抽出ストリームを出力するフィルタリング手段と、
該情報ストリームのデータサイズＢｓを検出する第１のデータサイズ検出手段と、
前記フィルタリング手段で抽出されたストリームのデータサイズＢｐを検出する第２のデータサイズ検出手段と、
該残容量Ｃが該データサイズＢｓよりも大きい場合は該情報ストリームを記録し、
該残容量Ｃが該データサイズＢｓよりも小さく、かつ、該データサイズＢｐよりも大きい場合は、前記フィルタリング手段で抽出されたストリームを記録する記録手段とを備えることを特徴とする情報記録装置。
【請求項２】
前記フィルタリング手段は少なくとも映像および音声に関するパケットを抽出することを特徴とする、請求項１記載の情報記録装置。
【請求項３】
該情報ストリームのうち映像、音声データの両方またはいずれか一方を圧縮符号化し、所定のデータサイズＢｅになるようにするエンコード手段をさらに備え、
該残容量Ｃが該データサイズＢｓよりも大きい場合は該情報ストリームを記録し、
該残容量Ｃが該データサイズＢｓよりも小さく、かつ、該データサイズＢｐよりも大きい場合は、前記フィルタリング手段で抽出されたストリームを記録し、
該残容量Ｃが該データサイズＢｐよりも小さく、かつ、該データサイズＢｅよりも大きい場合は、前記エンコード手段でエンコードされたストリームを記録することを特徴とする、請求項１記載の情報記録装置。
【請求項４】
該データサイズＢｅが該残容量Ｃ以下になるように圧縮符号化レートを決定することを特徴とする、請求項３記載の情報記録装置。
【請求項５】
該媒体に該情報ストリームを記録したか、前記フィルタリング手段で抽出されたストリームを記録したかを判別することを示す情報を該媒体に記録することを特徴とする、請求項１記載の情報記録装置。
【請求項６】
情報ストリームを媒体に記録する方法であって、
該媒体の残容量Ｃを検出する残容量検出ステップと、
該情報ストリームの各パケットの属性を検出する属性検出ステップと、
前記属性検出ステップで検出された特定のパケットを抽出した抽出ストリームを出力するフィルタリングステップと、
該情報ストリームのデータサイズＢｓを検出する第１のデータサイズ検出ステップと、
前記フィルタリングステップで抽出されたストリームのデータサイズＢｐを検出する第２のデータサイズ検出ステップと、
該残容量Ｃが該データサイズＢｓよりも大きい場合は該情報ストリームを記録し、
該残容量Ｃが該データサイズＢｓよりも小さく、かつ、該データサイズＢｐよりも大きい場合は、前記フィルタリングステップで抽出されたストリームを記録ステップとを有することを特徴とする情報記録方法。
【発明の詳細な説明】
【技術分野】
【０００１】
本発明は、デジタルテレビ放送などデータストリームを媒体に録画する方法及び装置に関する。
【背景技術】
【０００２】
デジタルテレビ放送では、映像信号をＭＰＥＧ符号化方法で圧縮符号化した圧縮データストリームを伝送することで、限られた伝送容量に大量および高品質な映像データを放送することが可能となっている（非特許文献１参照）。圧縮符号化された映像、音声データをパケット化し、各パケットを多重化して放送されるが、映像、音声パケットとともにデータ放送パケットも多重化されて伝送されている。データ放送は例えばニュース情報、天気予報情報、また、番組に付随したデータ情報などがある。サッカー番組であれば、選手紹介の情報、あるいはボール支配率などプレーの情報などリアルタイムの情報が伝送される。
【０００３】
このようなデジタルテレビ放送ストリームを記録媒体に記録するには、放送ストリームをそのまま記録するストリーム記録と放送ストリームを圧縮符号化して記録するエンコード記録とがある。ストリーム記録は放送品質と同じ高画質、高音質で記録することが可能であり、またデータ放送もそのまま記録することができる。一方、エンコード記録は放送ストリームをいったんデコードし、デコードしたデータをＭＰＥＧ符号化などで再圧縮する。ビットレートを８Ｍｂｐｓ程度に圧縮することでＢＳ放送の場合は１／３、地上波デジタル放送の場合は１／２の記録容量で済むことになる。つまり、エンコード記録は長時間記録が可能になる。
【０００４】
特許文献１あるいは特許文献２では、放送ストリームのデータサイズと記録媒体の残容量とにしたがってストリーム記録するか、あるいは、圧縮符号化してエンコード記録するかを選択し、さらにエンコード記録する際のビットレートを残容量によって決定する方法が開示されている。
【特許文献１】特開平１０−１９９１４２号公報
【特許文献２】特開２００２−１０２００号公報
【非特許文献１】ＩＳＯ／ＩＥＣ  １３８１８−２（ＭＰＥＧ２ビデオ）
【発明の開示】
【発明が解決しようとする課題】
【０００５】
しかしながら、ストリーム記録の場合、データのビットレートが、ＢＳ放送では約２４Ｍｂｐｓ、地上波デジタル放送では約１７Ｍｂｐｓと高いために大きな記録容量が必要になる。一方、エンコード記録により再圧縮することで符号化ノイズは発生してしまい、画質、音質が劣化してしまう課題を有していた。
【課題を解決するための手段】
【０００６】
本発明の第１の態様において、情報ストリームを媒体に記録する装置が提供される。その装置は、媒体の残容量Ｃを検出する残容量検出手段と、情報ストリームの各パケットの属性を検出する属性検出手段と、属性検出手段で検出された特定のパケットを抽出した抽出ストリームを出力するフィルタリング手段と、情報ストリームのデータサイズＢｓを検出する第１のデータサイズ検出手段と、フィルタリング手段で抽出されたストリームのデータサイズＢｐを検出する第２のデータサイズ検出手段と、残容量ＣがデータサイズＢｓよりも大きい場合は情報ストリームを記録し、残容量ＣがデータサイズＢｓよりも小さく、かつ、データサイズＢｐよりも大きい場合は、フィルタリング手段で抽出されたストリームを記録する記録手段とを備えるものである。
【０００７】
本発明の第２の態様において、情報ストリームを媒体に記録する方法が提供される。その方法は、媒体の残容量Ｃを検出する残容量検出ステップと、情報ストリームの各パケットの属性を検出する属性検出ステップと、属性検出ステップで検出された特定のパケットを抽出した抽出ストリームを出力するフィルタリングステップと、情報ストリームのデータサイズＢｓを検出する第１のデータサイズ検出ステップと、フィルタリングステップで抽出されたストリームのデータサイズＢｐを検出する第２のデータサイズ検出ステップと、残容量ＣがデータサイズＢｓよりも大きい場合は情報ストリームを記録し、残容量ＣがデータサイズＢｓよりも小さく、かつ、データサイズＢｐよりも大きい場合は、フィルタリングステップで抽出されたストリームを記録する記録ステップとを有する。
【発明の効果】
【０００８】
本発明によれば、残容量が十分にある場合は放送ストリームをそのまま記録し、そうでない場合は、データ放送のデータパケットを削除した映像および音声パケットからなる抽出ストリームを記録することで、画質、音質を劣化することなく少ない残容量でも記録することが可能となる。
【発明を実施するための最良の形態】
【０００９】
（実施の形態）
以下、添付の図面を参照して本発明の実施の形態について説明する。
【００１０】
図１は本発明の実施の形態である記録装置の構成を示すブロック図である。ここでは、デジタルテレビ放送をいったんハードディスク１０７に記録し、ハードディスク１０７の記録データをディスク１１２に記録する例を説明する。
【００１１】
まず、デジタルテレビ放送ストリームのハードディスク１０７への記録処理について説明する。デジタルテレビチューナー１０１で受信した放送ストリームはストリーム記録手段１０３ａによってハードディスク１０７に記録される。このとき、第１のデータサイズ検出手段１０２により、記録する放送ストリームのデータサイズＢｓを検出する。また、パケット解析手段１０５ａは放送ストリーム内の各パケットの属性を解析する。フィルタ手段１０４ａは放送ストリームの各パケットのうち映像および音声パケットを抽出したＡＶストリームを出力する。第２のデータサイズ検出手段１０６はＡＶストリームのデータサイズＢｐを検出する。第１のデータサイズ検出手段１０２の検出結果、および第２のデータサイズ検出手段１０６の検出結果は、制御手段１１０に入力される。
【００１２】
次に、ハードディスク１０７に記録された放送ストリームをディスク１１２に記録する処理について説明する。まず、残容量検出手段１１３はディスク１１２の残容量Ｃを検出する。検出結果は制御手段１１０に入力される。放送ストリーム記録手段１０３ｂは放送ストリーム記録手段１０３ａと同じくハードディスク１０７から読みとった放送ストリームをそのままディスク１１２に記録するためのものである。パケット解析手段１０５ｂはパケット解析手段１０５ａと同じく放送ストリーム内の各パケットの属性を解析し、フィルタ手段１０４ｂはフィルタ手段１０４ａと同じく放送ストリームの各パケットのうち映像および音声パケットを抽出したＡＶストリームを出力する。抽出ストリーム記録手段１０８は抽出したＡＶストリームをディスクに記録するためのものである。また、エンコードストリーム記録手段１０９は、抽出したＡＶストリームをデコードし、所定のデータサイズＢｅになるように圧縮符号化処理して記録するものである。なお、データサイズＢｅが残容量Ｃよりも小さくなるように圧縮符号化率を決定してもよい。選択器１１１は制御手段１１０によって制御され、放送ストリーム記録手段１０３ｂ、抽出ストリーム記録手段１０８、およびエンコードストリーム記録手段１０９の３つの記録手段のうちいずれか１つを選択する。
【００１３】
以下、３つの記録手段の選択処理について説明する。まず、残容量Ｃが放送ストリームのデータサイズＢｓよりも大きい場合は、放送ストリーム記録手段１０３ｂにより放送ストリームをそのままディスク１１２に記録する。残容量Ｃが放送ストリームのデータサイズＢｓよりも小さく、かつ、ＡＶストリームのデータサイズＢｐよりも大きい場合は、抽出ストリーム記録手段１０８によりＡＶストリームをディスク１１２に記録する。最後に残容量ＣがＡＶストリームのデータサイズＢｐよりも小さく、かつ、エンコードストリームのデータサイズＢｅよりも大きい場合は、エンコードストリーム記録手段１０９によりエンコードストリームをディスク１１２に記録する。残容量ＣがエンコードストリームのデータサイズＢｅよりも小さい場合はエンコードストリームを全て記録することができない。そこで、データサイズＢｅを残容量Ｃよりも小さくなるように圧縮率を設定すればよい。選択情報記録手段１１４は選択したストリーム種別を判別するための情報をディスク１１２に記録する。
【００１４】
以上のように、記録媒体の残容量が十分にある場合はデータパケットも含めて放送ストリームをそのまま記録し、残容量が少ない場合は、データパケットを削除し、映像、音声のＡＶストリームのみを記録することで、画質、音質は放送品質を保ったまま記録することが可能となる。さらに残容量が少ない場合は圧縮符号化処理して記録すればよく、記録媒体の残容量に適合した記録処理を行うことができる。
【００１５】
また、記録したストリーム種別をディスクに記録するようにしたので、再生時にストリームが放送ストリームであるか、ＡＶストリームであるか、またはエンコードストリームであるかを判別することができる。放送ストリームであれば、データ放送パケットも記録されているのでデータ放送を再生することができる。一方、再生ストリームがＡＶストリームである場合、データ放送を再生することができない。したがって、ＡＶストリームの場合は、ユーザからデータ放送の再生指示を受けたとしてもデータ放送の再生処理を行わない。このとき、データ放送の再生が出来ないことをメッセージしてもよい。
【００１６】
また、記録したストリーム一覧を表示する際に、放送ストリームであるか、ＡＶストリームであるか、エンコードストリームであるかを表示してもよい。例えば、記録ストリーム一覧に各ストリーム種別を示すマークなどつければよい。これにより、データ放送の再生が可能なストリームであるかどうかをユーザは認識することができる。また、ストリーム種別と録画モードとを関連付けてもよく、録画モードを表示することでストリーム種別を認識することができる。
【００１７】
なお、放送ストリーム記録手段１０３ａと１０３ｂ、フィルタ手段１０４ａと１０４ｂ、および、パケット解析手段１０５ａと１０５ｂをそれぞれ２つずつ備えるようにしたが、それぞれ１つの手段を兼用してもよい。
【００１８】
図２は本発明の実施の形態である記録再生方法を示したフローチャートである。以下、各処理ステップを詳細に説明する。ここでは、デジタルテレビ放送の放送ストリームをハードディスクに記録した後、光ディスクにダビング記録する際に適用した例を説明する。
【００１９】
まず、ステップ２０１で放送ストリームのデータサイズＢｓを検出する。放送ストリームをハードディスクに記録する際に記録したパケット数をカウントしてもよいし、ハードディスクに記録した後、記録に使用したディスク容量からデータサイズＢｓを検出してもよい。次に、放送ストリームから映像および音声パケットのみを抽出したＡＶストリームのデータサイズＢｐを検出する。放送ストリームをハードディスクに記録する際に、ストリームの各パケットを解析し、映像および音声パケットをカウントするなどすればよい。ステップ２０３は光ディスクの残容量Ｃを検出する。
【００２０】
次に、ステップ２０４で残容量Ｃと放送ストリームサイズＢｓとを比較し、残容量Ｃの方が大きい場合は、ステップ２０６に進み、放送ストリームをそのまま光ディスクに記録する。記録容量Ｃの方が放送ストリームサイズＢｓよりも小さい場合は、ステップ２０５に進む。
【００２１】
ステップ２０５は残容量ＣとＡＶストリームサイズＢｐとを比較し、残容量Ｃの方が大きい場合は、ステップ２０７に進み、ＡＶストリームを光ディスクに記録する。記録容量Ｃの方がＡＶストリームサイズＢｐよりも小さい場合は、ステップ２０８に進み、エンコード記録処理を行う。エンコード記録処理は残容量Ｃよりも小さくなるように圧縮符号化する。
【００２２】
以上のように、記録媒体の残容量が十分にある場合はデータパケットも含めて放送ストリームをそのまま記録し、残容量が少ない場合は、データパケットを削除し、映像、音声のＡＶストリームのみを記録することで、画質、音質は放送品質を保ったまま記録することが可能となる。さらに残容量が少ない場合は圧縮符号化処理して記録し、記録媒体の残容量に適合した記録処理を行うことができる。
【産業上の利用可能性】
【００２３】
本発明にかかる記録装置、および記録方法は、媒体の容量にしたがった記録方法を選択できるので、デジタルテレビ放送の記録、およびダビング記録する装置に適用できる。
【図面の簡単な説明】
【００２４】
【図１】本発明の実施の形態の記録装置の構成を示すブロック図
【図２】本発明の実施の形態の記録方法を示すフローチャート
【符号の説明】
【００２５】
１０１    デジタルテレビチューナー
１０２    放送ストリームのデータサイズＢｓ検出手段
１０３ａ、１０３ｂ    放送ストリーム記録手段
１０４ａ、１０４ｂ    フィルタ手段
１０５ａ、１０５ｂ    パケット解析手段
１０６    抽出ストリームのデータサイズＢｐ検出手段
１０７    ハードディスク
１０８    抽出ストリーム記録手段
１０９    エンコードストリーム記録手段
１１０    制御手段
１１１    選択手段
１１２    光ディスク
１１３    残容量検出手段
１１４    選択情報記録手段
【図１】
2009171277.tif 000003
【図２】
2009171277.tif 000004